(57)【要約】【課題】上球受皿や球受皿の球皿部の有効的な使用が図られ、また、手で球皿部の遊技球を寄せ集めるといった余分な手間を無くして遊技に集中でき、更には、遊技者の手を汚すようなこともない遊技機を提供する。【解決手段】遊技機Ｐの前面に遊技球を貯留する球受皿１１が装着され、球受皿１１の一側に位置しかつ遊技機Ｐの前面に球払出装置２２から払い出される遊技球を該球払出装置２２に接続される球排出通路２３を介して球受皿１１の球皿部３５ａに排出する球排出口３３が開設された遊技機Ｐであって、球受皿１１の他側に位置しかつ遊技機Ｐの前面に球排出通路２３から分岐して設けた分岐通路４２と連通する副球排出口３４を開設し、球受皿１１には副球排出口３４の前側に球皿部３５ａと連なる球排出面部３５ｂを成形し、副球排出口３４から排出される遊技球を球排出面部３５ｂに排出するようにした。【選択図】図３
2007260154.tif 000002
【特許請求の範囲】
【請求項１】
遊技機の前面に遊技球を貯留する球受皿が装着され、前記球受皿の一側に位置しかつ前記遊技機の前面に球払出装置から払い出される遊技球を該球払出装置に接続される球排出通路を介して前記球受皿の球皿部に排出する球排出口が開設された遊技機であって、
前記球受皿の他側に位置しかつ前記遊技機の前面に前記球排出通路から分岐して設けた分岐通路と連通する副球排出口を開設し、前記球受皿には前記副球排出口の前側に前記球皿部と連なる球排出面部を成形し、前記副球排出口から排出される遊技球を前記球排出面部に排出するようにしたことを特徴とする遊技機。
【請求項２】
前記分岐通路の底面に該分岐通路内の遊技球を球抜きするための第二球抜き口を開設し、前記第二球抜き口を第二球抜き板により開閉自在に閉塞するようにした請求項１記載の遊技機。
【請求項３】
前記球排出面部の底面に該球排出面部の遊技球を球抜きするための第二球抜き口を開設し、前記第二球抜き口を第二球抜き板により開閉自在に閉塞するようにした請求項１記載の遊技機。
【発明の詳細な説明】
【技術分野】
【０００１】
本発明は、遊技機の前面に打球発射位置へ供給される遊技球を貯留する球受皿が装着された遊技機に関するものである。
【背景技術】
【０００２】
従来、遊技機の一種であるパチンコ遊技機は、通常、遊技機の前面に打球発射位置へ供給される遊技球を貯留する上球受皿とその下方に配置され該上球受皿から溢れる遊技球を貯留する下球受皿とが装着されている（例えば、特許文献１参照。）。また、近時、遊技盤前面の遊技領域を拡大するというニーズが非常に高まっており、そのニーズに対処する一手段として前記上・下球受皿を一つにした球受皿が採用されている（例えば、特許文献２参照。）。
【０００３】
前記特許文献１の上球受皿や特許文献２の球受皿は、それら一側に位置しかつ遊技機の前面に球排出口が開設され、該球排出口を介して球払出装置から払い出される遊技球を球皿部に排出するようにしている。
【特許文献１】実開平６−７７７９１号公報（第５−７頁、図２）
【特許文献２】特開２００４−６５６９０号公報（第４−９頁、図１）
【発明の開示】
【発明が解決しようとする課題】
【０００４】
しかしながら、前記特許文献１や特許文献２のパチンコ遊技機にあっては、球排出口が一側にのみ設けられ、球皿部は打球発射位置側へ緩く下傾しているにすぎない。このため、例えば、遊技中に所謂大当り状態になり、前記球排出口から連続して遊技球が球皿部に排出されると、これら遊技球は、その球排出口付近でのみ貯留されるだけであって、球皿部の下流側ではほとんど貯留されない状態で溜まっている。このように、所定の大きさに成形された上球受皿や球受皿であっても、それら球皿部全体に遊技球が偏りの無いように貯留されることは難しく有効的な使用が図られてないのが現状である。
【０００５】
この状態では、遊技者が球皿部上面の遊技球、特に球排出口付近に多く集まっている遊技球を手で反対側の下流側へ寄せるなどすれば良いが、このような作業を遊技の途中で行うことは、手間が掛かりしかも遊技者にとっては注意が散漫になって遊技に集中できない。また、遊技球に付着したゴミ等により手が汚れるといった課題がある。
【０００６】
そこで、本発明は、上記課題を解決すべくなされたもので、上球受皿や球受皿の球皿部の有効的な使用が図られ、また、手で球皿部の遊技球を寄せ集めるといった余分な手間を無くして遊技に集中でき、更には、遊技者の手を汚すようなこともない遊技機を提供することを目的とするものである。
【課題を解決するための手段】
【０００７】
かかる目的を達成するため本発明の遊技機は、遊技機の前面に遊技球を貯留する球受皿が装着され、前記球受皿の一側に位置しかつ前記遊技機の前面に球払出装置から払い出される遊技球を該球払出装置に接続される球排出通路を介して前記球受皿の球皿部に排出する球排出口が開設された遊技機であって、前記球受皿の他側に位置しかつ前記遊技機の前面に前記球排出通路から分岐して設けた分岐通路と連通する副球排出口を開設し、前記球受皿には前記副球排出口の前側に前記球皿部と連なる球排出面部を成形し、前記副球排出口から排出される遊技球を前記球排出面部に排出するようにした構成からなる。
【０００８】
前記球受皿とは、遊技機の前面に打球発射位置へ供給される遊技球を貯留するための上球受皿とその下方に位置して該上球受皿から溢れる遊技球を貯留するための下球受皿を二個備えた遊技機にあってはその上球受皿を指し、遊技機の前面に球受皿を一個しか備えてない遊技機にあってはその球受皿を指す。
【０００９】
よって、遊技機の前面に打球発射位置へ供給される遊技球を貯留する上球受皿とその下方に配置され該上球受皿から溢れる遊技球を貯留する下球受皿とが装着され、前記上球受皿の一側に位置しかつ前記遊技機の前面に球払出装置から払い出される遊技球を該球払出装置に接続される球排出通路を介して前記上球受皿の球皿部に排出する球排出口が開設された遊技機にあっては、前記上球受皿の他側に位置しかつ前記遊技機の前面に前記球排出通路から分岐して設けた分岐通路と連通する副球排出口を開設し、前記上球受皿には前記副球排出口の前側に前記球皿部と連なる球排出面部を成形し、前記副球排出口から排出される遊技球を前記球排出面部に排出するようにした構成からなる。
【００１０】
これらいずれの場合も、前記分岐通路又は球排出面部の底面に該分岐通路又は球排出面部の遊技球を球抜きするための第二球抜き口を開設し、前記第二球抜き口を第二球抜き板により開閉自在に閉塞するようにすることが好ましい。
【００１１】
また、本発明に係る遊技機に使用される打球供給装置は、水平な中間板の上側に球受皿の球皿部に貯留される遊技球が流入する供給口と打球発射装置へ遊技球を供給するための球送口との間に成形される球誘導路と、前記球誘導路の底面に開設される第一球抜き口と、前記球誘導路の一側に前記球送口に対応位置して配置され、電気的駆動手段により水平面内で往復回動し前記球誘導路内に流入する遊技球を１個ずつ切りながら前記球送口から排出する球送り部材とを備えてなる。
【発明の効果】
【００１２】
本発明に係る遊技機は、球受皿の一側に位置しかつ遊技機の前面に球排出通路と連通する球排出口が開設され、他側に位置しかつ遊技機の前面に球排出通路から分岐して設けた分岐通路と連通する副球排出口を開設し、球受皿には副球排出口の前側に球皿部と連なる球排出面部を成形し、前記副球排出口から排出される遊技球を球排出面部に排出するようにした。よって、例えば遊技中に大当り状態になり、球排出口付近に遊技球が溜まって球排出口から排出し難くなると、分岐通路を介して副球排出口から遊技球が球排出面部に排出されることになる。
【００１３】
このように、副球排出口から排出された遊技球は球排出面部に排出され、結果的に一側とこれと反対側の他側に位置する球排出口と副球排出口からそれぞれ排出された遊技球が球排出面部を含め球皿部に貯留されることになるので、球皿部にその両側から遊技球が溜まり球皿部の有効的な使用が可能になる。
【００１４】
また、従来のように手で球皿部の遊技球を寄せ集めるといった余分な手間が無くなり、遊技者も遊技に集中でき、しかも、手を汚すようなこともないといった有益な効果が有る。
【００１５】
分岐通路又は球排出面部の底面に該分岐通路又は球排出面部の遊技球を球抜きするための第二球抜き口を開設し、第二球抜き口を第二球抜き板により開閉自在に閉塞するようにすれば、球受皿の球抜き時間が短縮でき都合が良い。
【発明を実施するための最良の形態】
【００１６】
以下、本発明に係る遊技機の実施の形態を図面に基づき詳しく説明する。本発明は、パチンコ遊技機、アレンジボール機、雀球機、パチスロ機、パロット（登録商標）機等の遊技機に適用されるが、この内、本発明はパチンコ遊技機に適用される場合について説明する。なお、パロット機とは、パチンコ球を遊技媒体としてパチスロ機の遊技が可能な遊技機である。
【００１７】
また、通常、前面に上球受皿と下球受皿をそれぞれ上下に装着した球受皿二個式のパチンコ遊技機又は一個の球受皿を装着した球受皿一個式のパチンコ遊技機がある。本発明は前記二個式のパチンコ遊技機の上球受皿や一個式のパチンコ遊技機の球受皿のいずれにも適用できるが、この実施の形態にあっては、その一例として一個式のパチンコ遊技機について説明する。図１は本発明に係るパチンコ遊技機の斜視図、図２は同透明板保持枠を開いた状態の斜視図である。パチンコ遊技機Ｐは、縦長長方形枠状の外枠１を有し、該外枠１の前側に一側を軸着すると共に遊技盤２を設置した本体枠３が開閉自在に装着されている。
【００１８】
前記遊技盤２は縦長長方形状に成形され、その前面に内側のガイドレール４ａと外側のガイドレール４ｂとが渦巻状に敷設され、これら内・外側のガイドレール４ａ，４ｂに囲まれて遊技部２ａが成形される。該遊技部２ａには、例えばその中央に各種の情報を変動表示する表示部５ａを備えた可変表示装置５が装着され、その下方に遊技球が入賞することにより前記可変表示装置５の表示部５ａの情報を変動させる始動入賞口６が装着される。更に、その下方に前記表示部５ａの表示が特定の情報（例えば、「７，７，７」）に揃ったとき開閉扉７ａを開き、一定の条件の下で一度に多くの入賞球が得られる大型の入賞装置７が装着されている。
【００１９】
前記本体枠３の前面に、該本体枠３とほぼ同じ大きさからなりその一側で開閉自在に軸着される合成樹脂製の透明板保持枠８が設けられている。該透明板保持枠８には、遊技盤２前面の遊技部２ａに対向して縦長楕円形状の窓開口９が開設され、該窓開口９の裏面に２枚セットの透明板１０ａであるガラス板または合成樹脂板からなる透明板セット１０が配置され、これにより該窓開口９を塞ぐようにしている。そして、透明板保持枠８の前面であって窓開口９の下方に一個の球受皿１１が装着される。この球受皿１１の詳細については後で説明する。また、球受皿１１の一側に後記する発射装置２０から発射される打球としての遊技球の打球力を調整するための打球力調整ハンドル１２が装着される。
【００２０】
透明板保持枠８の軸着部とは反対側の裏面に、該透明板保持枠８を施錠するため一対の係合孔１３，１３が上下に所定の間隔離して設けられ、これら係合孔１３，１３と対応位置して本体枠３の前面に前記各係合孔１３に係合する施錠装置の鉤部１４，１４が突設されている。これら鉤部１４，１４は鉛直面内で回動しかつ上向回動するように付勢されており、透明板保持枠８を本体枠３の前面に押し付けることにより各鉤部１４が各係合孔１３に係合して透明板保持枠８が閉塞する。これと同じ側の本体枠３の前面にはシリンダー錠１５が取着され、該シリンダー錠１５に鍵（図示せず。）を差し込み回動することにより透明板保持枠８が施錠される。
【００２１】
本体枠３の下部前面の一側に合成樹脂製の零れ球防止装置１６が配置される。この零れ球防止装置１６は、透明板保持枠８を前側へ開いたときその零れ球防止装置１６から遊技球が前側へ零れ落ちないようにするためのものであって、図３、図４に示すように内部が空洞であって正面横長長方形状をなす板状に成形される。そして、その中央上部に縦の仕切壁１７により左右に隣接して第一球通過口１８ａと第二球通過口１８ｂが開設されている。また、本体枠３の下部前面の他側に、発射レール１９を備えた箱型の発射装置２０が配置される。この発射装置２０にはロータリーソレノイド（図示せず。）が内装され、発射装置２０の前面の球入口２１から入球し打球発射位置に置かれる遊技球をロータリーソレノイドにより一個ずつ発射するようになっている。
【００２２】
図５に示すように本体枠３の裏側に球払出装置２２が配設され、該球払出装置２２の下方に上端が該球払出装置２２に接続される球排出通路２３が設けられる。該球排出通路２３はその下端に該球排出通路２３よりも横幅の広い球受通路２４が設けられている。この球受通路２４は前面が開放しており、前記零れ球防止装置１６の二つの第一・第二球通過口１８ａ，１８ｂに連通している。前記仕切壁１７の後側に該仕切壁１７と連続しかつ後端縁が前記球受通路２４の前面に達する副仕切壁１７ａが設けられている。また、球排出通路２３は球受通路２４の一側すなわち第一球通過口１８ａ側に片寄らせて配置され、常態では、球払出装置２２から払い出された遊技球が、球排出通路２３を介して第一球通過口１８ａ側へ流下する。図示は省略するが、前記球排出口３３の内側で溢れる遊技球をオーバーフローさせて分岐通路４２に分岐する前記球受通路２４の位置であって分岐通路４２と連通する分岐部を、本体枠３の前側に設けるようにしても良い。このようにすれば、零れ球防止装置１６に設けられた第一・第二球通過口１８ａ，１８ｂがいずれか一つで済む。
【００２３】
前記零れ球防止装置１６の内部には、前記第一・第二球通過口１８ａ，１８ｂより下方に位置して両端を前側壁１６ａの内面に突設された軸受部２５，２５に軸支される作動杆２６が水平にかつ前側壁１６ａに平行に配置される。該作動杆２６の両側に前側へ突出する作用ピン２７，２７が設けられ、また、作動杆２６の一側には該作動杆２６と直交しかつ前側の斜め下方へ延設する可動片２８が一体に設けられている。
【００２４】
また、前記零れ球防止装置１６の内部であって前記作動杆２６と前側壁１６ａとの間に、前記第一・第二球通過口１８ａ，１８ｂの横幅とほぼ同じ横幅を有する遮蔽板２９が前側壁１６ａに沿って自在に上下動できるように配置される。この遮蔽板２９は、その下側で底面との間に介在される付勢部材としての圧縮スプリング３０により常に上方へ付勢されている。前記遮蔽板２９が圧縮スプリング３０により押上げられ停止した状態では、前記作動杆２６の両側の作用ピン２７，２７が遮蔽板２９の両側に水平に突設した支持片３１，３１の上面に乗って支持され、かつ前記可動片２８がその下側を前側壁１６ａに開設した透孔３２を介してその前側へ所定の長さ突出させている。このとき、前記上昇して停止している遮蔽板２９の上端縁は、第一・第二球通過口１８ａ，１８ｂの底面よりもその第一・第二球通過口１８ａ，１８ｂを遊技球が支えて通過できない高さに設定されている。
【００２５】
この状態で、前記可動片２８が回動して後側すなわち零れ球防止装置１６内に押し込まれると、作動杆２６が前側へ回動すると共にその両側の作用ピン２７，２７も前側へ回動して両支持片３１を押し下げ、圧縮スプリング３０の付勢に抗して遮蔽板２９を押し下げる。これにより、遮蔽板２９の上端縁が第一・第二球通過口１８ａ，１８ｂの底面とほぼ面一となり、第一・第二球通過口１８ａ，１８ｂを遊技球が通過して前方へ転動し得るようになっている。
【００２６】
球受皿１１は、上面が開放されると共に後側を除いた外周面が周側壁１１ａにより囲われる。該球受皿１１の一側に位置しかつパチンコ遊技機Ｐの前面である透明板保持枠８の前面に球排出口３３が開設され、球受皿１１の他側に位置しかつパチンコ遊技機Ｐの前面である透明板保持枠８の前面に副球排出口３４が開設される。球受皿１１内には、前記球排出口３３側に位置して球皿部３５ａが張設され、副球排出口３４側に位置して球皿部３５ａと連なる球排出面部３５ｂが張設される。球皿部３５ａはその上面が副球排出口３４側に少し下傾し、球排出面部３５ｂはその上面が逆に球排出口３３側に少し下傾している。また、この際、球皿部３５ａの上面と球排出面部３５ｂの上面との交差部に沿って球皿部３５ａの上面より球排出面部３５ｂの上面の方が遊技球の直径寸法程度高くなる段差を設けるようにしても良い。このように前記交差部に段差を設けることにより、球受皿１１の上面における球排出口３３と副球排出口３４とから排出される遊技球の合流がスムーズに行われる。
【００２７】
また、前記球皿部３５ａには、透明板保持枠８の前面に沿って前記球皿部３５ａの上面と同じ傾斜で同じ方向へ下傾する整流通路３６が設けられ、その下流端部には上面に下流側に向い漸次窄まりその下流端で透明板保持枠８の前面と遊技球１個分前側へ離れる案内部材３７が立設される。該案内部材３７の上流側の先端縁が前記球皿部３５ａと球排出面部３５ｂとの境目に合致している。前記整流通路３６に遊技球の直径とほぼ同じ幅の金属帯板が貼着され、その流下端に位置する透明板保持枠８に整流通路３６を縦に並んで流下する遊技球を透明板保持枠８の裏面に装着した後記する打球供給装置４７に供給するための供給口３８が開設される。整流通路３６の流下端部の底面すなわち供給口３８の前側に遊技球が２個同時に排出できる程度の大きさの第一球抜き口３９が開設され、該第一球抜き口３９は常態では後記する第一球抜き板５０により塞がれている。
【００２８】
透明板保持枠８の裏面に、球受皿１１に対応位置して合成樹脂製の通路部材４０が一体に設けられている。該通路部材４０は、その一側に透明板保持枠８を閉じたとき前記第一球通過口１８ａと球排出口３３とを繋ぐ連絡樋４１が設けられる。また、透明板保持枠８の裏側に沿って他側に少し下傾する分岐通路４２が配置される。分岐通路４２の上流端に設けられ後側を向く開口４２ａは、透明板保持枠８を閉じたとき前記第二球通過口１８ｂに繋がるようになっている。一方、分岐通路４２の流下端は、前記副球排出口３４に連なっている。分岐通路４２の流下端部の底面すなわち副球排出口３４の後側に遊技球が２個同時に排出できる程度の大きさの第二球抜き口４３が開設され、該第二球抜き口４３は常態では後記する第二球抜き板８６により塞がれている。
【００２９】
前記分岐通路４２の裏側にはファール球排出通路４４が設けられる。該ファール球排出通路４４は、その上面が開放されると共に分岐通路４２と同じ方向へ下傾している。そして、分岐通路４２の上流端側の上面に透明板保持枠８を閉めたとき前記外側ガイドレール４ｂの下端に連なり上からのファール球としての遊技球をファール球排出通路４４内に導くガイド片４５が設けられ、ファール球排出通路４４の流下端は分岐通路４２の裏面の途中に開設される流入口４６に接続される。
【００３０】
透明板保持枠８の裏面に装着される打球供給装置４７は縦長箱形状に成形され、図７に示すように中央よりやや上方に内部空間を上下に仕切る水平な中間板４８が配設される。この中間板４８は、その前側部分が前記透明板保持枠８を越えてその前側に突出している。また、中間板４８には透明板保持枠８の前側と後側とに亘り第一球抜き口３９が開設される。該第一球抜き口３９の前後縁に一対の平行なレール部４９，４９が敷き設され、該レール部４９，４９上面に第一球抜き板５０が乗り、第一球抜き板５０が該レール部４９，４９に沿って摺動することにより第一球抜き口３９が開閉できるようになっている。この場合、透明板保持枠８の後側であって第一球抜き口３９すなわち第一球抜き板５０の上方が、前記整流通路３６流下端の透明板保持枠８に開設された供給口３８と連通する球誘導路５１となる。すなわち、第一球抜き板５０が整流通路３６及び球誘導路５１の底壁を形成し、球抜きの際には、整流通路３６及び球誘導路５１の底壁自体がスライドして第一球抜き口３９を開放する。そして、第一球抜き口３９の整流通路３６側は遊技球が２個同時に排出できる程度の大きさになっている。
【００３１】
球誘導路５１の流下端には打球供給装置４７の後側壁に開設される球送口５２が位置し、透明板保持枠８を閉じたとき、球送口５２が前記発射装置２０の前面壁２０ａに開設された球入口２１に連なるようになっている。前記第一球抜き板５０の透明板保持枠８から前側に突出した部分には、後記する第一球抜き機構７０が連結される。また、第一球抜き板５０における透明板保持枠８の後側には、内面が後方へ弧状に窪む誘導壁５０ａが立設され、球誘導路５１内に流入してきた遊技球を誘導するようにしている。
【００３２】
前記球誘導路５１の誘導壁５０ａの一側に、球送口５２に対応位置し水平面内で往復回動して球誘導路５１内を流下する遊技球を１個ずつ切りながら球送口５２から排出する球送り部材５３が配置される。該球送り部材５３は、鉛直な支軸５４により中間板４８の上方で回動自在に軸支され、球誘導路５１側であってその上流側が弧状に突出されると共に下流側に１個の遊技球を抱え込むことができる球受部５５が凹設されている。
【００３３】
前記球送り部材５３の一側下面に下向きのピン５６が突設される。該ピン５６は、前記中間板４８に開設され前記支軸５４を中心とする円弧状の軌跡に沿ったガイド孔５７に挿通され、その下端が該ガイド孔５７よりも下方へ突出している。一方、中間板４８の下方には、前記球送り部材５３側に位置して下端の軸筒部５８に前後方向に水平に配置した横軸５９が挿通され、該横軸５９を中心として左右に揺動する揺動伝達部材６０が配置される。該揺動伝達部材６０の上端に設けられほぼ水平な横片部６０ａに前記ピン５６の下端部が遊嵌される連結孔６１が開設される。また、前記軸筒部５８の一側に先端に隙間６２を成形した上下一対の把持片６３，６３が一体に設けられている。
【００３４】
揺動伝達部材６０の反対側に電磁ソレノイド６４が配置される。該電磁ソレノイド６４は下向きに配置され、その周囲を囲う金属製の囲い枠６５の下端部に、その軸芯６６の下端面と対向位置しかつ囲い枠６５の一側を支点として上下に揺動する金属製の揺動板６７が支着される。また、該揺動板６７の一側と囲い枠６５の外側面との間に付勢部材としての引っ張りコイルバネ６８が掛け止めされ、該引っ張りコイルバネ６８の収縮力により揺動板６７は常にその他側が下方へ揺動、すなわち前記軸芯６６の下端面より離れるように付勢されている。また、揺動板６７の他端は前記把持片６３，６３の隙間６２内に介入されている。
【００３５】
そこで、例えば、前記電磁ソレノイド６４が消磁している状態では、引っ張りコイルバネ６８の付勢により揺動板６７の他端が下向きに回動した位置で停止し、これにより揺動伝達部材６０が一方へ回動して停止している。このとき、図９に示すように球誘導路５１の球送り部材５３は、嘴状の外周先端縁５３ａが球誘導路５１を塞いで該球誘導路５１内の先端の遊技球を止めている。この状態で、前記電磁ソレノイド６４が励磁すると、揺動板６７が軸芯６６に吸着され、引っ張りコイルバネ６８の付勢に抗して揺動板６７の他端側を跳ね上げる。これにより、揺動伝達部材６０が他方へ回動して停止し、球送り部材５３の外周先端部５３ａが球誘導路５１を開け該球誘導路５１内の先端の遊技球を自由にし、その最先端の遊技球を球受部５５に受け入れると共に球送口５２から後方へ排出する。同時に、電磁ソレノイド６４が消磁して再び球誘導路５１を塞ぎ、次の遊技球が球送り部材５３により停止させられる。以後、同様な動作が繰り返される。
【００３６】
通常、前記電磁ソレノイド６４は、前記発射装置２０内のロータリーソレノイドの発射動作と連動して励磁・消磁を繰り返し、球誘導路５１内に並ぶ遊技球が一個ずつ球送口５２、球入口２１を介して発射装置２０内に送り込まれることになる。前記第一球抜き口３９の下方には、球抜きするため底面が前側へ下傾しかつその前面が開放する導出路６９が設けられている。近年では、遊技盤すなわち遊技領域の拡大のニーズが高く、球受皿周辺の設計スペースが狭く制限されてきている。そこで、前記打球供給装置４７に組み込まれる部品の内、球送り部材５３を水平面内で回動させるようにして打球供給装置４７の縦寸法をできるだけ短くしている。
【００３７】
次に、第一球抜き口３９を開閉するための第一球抜き機構７０について説明する。該球抜き機構７０は、図８、図１０、図１１に示すように球受皿１１の他側すなわち球排出面部３５ｂの下方に配置される。更に詳しく説明すると、球排出面部３５ｂの下方に水平な補助板部７１が張設され、球排出面部３５ｂの裏面の前側に突設された支軸７２により平面Ｌ字型のリンク７３が水平面内で回動自在に軸着される。該リンク７３の支軸部７２から延びる長杆７３ａの先端部は前記第一球抜き板５０の前端部に枢着され、同じく支軸部７２から延びる短杆７３ｂの先端部には長孔７４が開設されている。また、リンク７３の一側であって球排出面部３５ｂと補助板部７１との間に支持軸９０が固着され、該支持軸９０に付勢部材としての渦巻きバネ９１が回装されている。そして、その一方端部は補助板部７１の一側に突設された停止ピン９２に当接し、その他方端部はリンク７３における長杆７３ａのほぼ中間位置に突設された係止ピン９３に当接している。この渦巻きバネ９１の付勢により、リンク７３は常に長杆７３ａを一方すなわち第一球抜き口３９を第一球抜き板５０で塞ぐ方向へ回動付勢される。
【００３８】
前記透明板保持枠８の外側であって球排出面部３５ｂの下側に、該球排出面部３５ｂと補助板部７１との間に垂直に設けられる支軸７５に操作板７６が水平面内で自在に回動するように軸着されている。この操作板７６には支軸７５と反対側に前記短杆７３ｂの長孔７４に遊嵌する連結ピン９４が突設される。また、該操作板７６の外周縁には、前記球受皿１１の周側壁１１ａに開設された切欠孔７７から外側へ突出する押動板部７８が一体に設けられている。
【００３９】
前記補助板部７１の下側に前記導出路６９と連通する球抜き路７９が設けられ、その流下端に外部と連通する球排出口８０が開設される。そこで、前記押動板部７８を外側から指で押すことにより、操作板７６が支軸７５を中心として回動し、これに伴いリンク７３が支軸７２を中心として回動し第１球抜き板５０が摺動する。これにより、第一球抜き口３９が開放され、球誘導路５１内に停止していた遊技球を初め整流通路３６及び球受皿１１の球皿部３５ａに貯留される遊技球の球抜きが行なわれる。
【００４０】
次に、第二球抜き口４３を開閉するための第二球抜き機構８４について説明する。第二球抜き機構８４は、図１２、図１３に示すように分岐通路４２の後側に配置され、分岐通路４２に沿って左右に摺動する垂直基板８５と該垂直基板８５の下縁に一体に設けられ第二球抜き口４３を開閉する第二球抜き板８６を備えている。前記垂直基板８５の一端に透明板保持枠８側に取着した付勢部材としての引っ張りスプリング８７が取着され、該引っ張りスプリング８７の付勢によって第二球抜き口４３を第二球抜き板８６により常に塞ぐようにしている。また、垂直基板８５の前面に操作摘み８８が突設され、該操作摘み８８が透明板保持枠８に開設された横長のガイド孔８９から前方へ突出するようになっている。そこで、前記第二球抜き口４３は、常態では第二球抜き板８６により閉塞されているが、引っ張りスプリング８７の付勢に抗して前側から指で操作摘み８８を横方向へ摺動することにより第二球抜き口４３が開放され、分岐通路４２内の遊技球の球抜きが行なえるようになっている。
【００４１】
本発明に係る遊技機は上記構成よりなり、次にその作用について説明する。まず、図示しないコイン投入口にコインを投入することにより、球払出装置２２から所定量の貸球としての遊技球が払い出される。これら遊技球は球排出通路２３、球受通路２４を流下し球排出口３３を介して球受皿１１の球皿部３５ａに貯留される。その内、一部の遊技球は整流通路３６に流入して整流されながら供給口３８を介して打球供給装置４７内の球誘導路５１に到達し、球送り部材５３によりその最先端の遊技球が停止させられる。
【００４２】
この状態で、遊技者が打球力調整ハンドル１２を所定の方向に所定量回動することにより球送り部材５３が水平面内で往復回動し、その最先端に位置する遊技球を順次球送口５２を介して発射装置２０に供給する。該発射装置２０に供給され打球発射位置に置かれた遊技球はロータリーソレノイドにより打ち出される。打ち出された遊技球は発射レール１９を介して外側ガイドレール４ｂに沿って飛走し、遊技盤２面の遊技部２ａに打ち込まれて遊技が行なわれる。その間、始動入賞口６などに遊技球が入賞して入賞球が発生すると、その遊技球により指定された個数の賞球としての遊技球が前記球払出装置２２から払い出され、球排出口３３を介して球受皿１１の球皿部３５ａに排出される。
【００４３】
そして、遊技中に可変表示装置５の表示部５ａに変動表示される情報が、例えば「７，７，７」の表示を示して停止し、遊技者に有利な大当り状態になると、入賞装置７の開閉扉７ａが一定の条件の下で開閉し、一度に多くの賞球としての遊技球が球排出口３３を介して球受皿１１の球皿部３５ａに排出される。この際、図４に示すように球皿部３５ａが遊技球で一杯になり、しかも球受通路２４まで遊技球で一杯になると、その後に球払出装置２２から排出される賞球としての遊技球は、副仕切壁１７ａを乗り越え第二球通過口１８ｂを介して分岐通路４２に流入し該分岐通路４２を流下することになる。この分岐通路４２を流下する遊技球は、その流下端の副球排出口３４を介して球受皿１１の球排出面部３５ｂに排出されることになる。
【００４４】
このように、副球排出口３４から排出された遊技球は球排出面部３５ｂに排出されると、結果的に一側とこれと反対側の他側に位置する球排出口３３と副球排出口３４とからそれぞれ排出された遊技球が、球排出面部３５ｂを含め球皿部３５ａに貯留されることになる。よって、球皿部３５ａにその両側から遊技球が溜まり球皿部３５ａの有効的な使用が可能になる。また、これに伴い遊技者は手でその遊技球を寄せるなどする手間が必要なく、遊技に集中できるばかりか手の汚れも防ぐことができる。
【００４５】
また、前記大当り状態であって球排出口３３及び副球排出口３４から賞球としての遊技球が球受皿１１に排出されて該球受皿１１が一杯になったときは、球受皿１１の下面の球排出口８０の下方に球箱（図示せず。）を配置し、第二球抜き機構８４における操作摘み８８を摺動させる。これにより、第二球抜き板８６が引っ張りスプリング８７の付勢に抗して摺動し第二球抜き口４３が開放する。そして、球払出装置２２から払い出される賞球としての遊技球が分岐通路４２を流下すると共に第二球抜き口４３に落下し、球抜き路７９を介して球排出口８０から球箱に貯留される。
【００４６】
更に、遊技が終了し球受皿１１等に残った遊技球を球抜きする場合は、球受皿１１の周側壁１１ａから突出する操作板７６の押動板部７８を後方へ押す。これにより、図８に示すように第一球抜き機構７０における操作板７６が回動すると共にリンク７３が渦巻きバネ９１の付勢に抗して回動し、第一球抜き板５０が摺動して第一球抜き口３９が開放される。第一球抜き口３９が開放されると、球皿部３５ａに貯留されていた遊技球が供給口３８及び球誘導路５１を介して第一球抜き口３９から落下する。落下した遊技球はその下方の導出路６９を通過すると共に球抜き路７９を介して球排出口８０に至り、該球排出口８０から球箱内に貯留されることになる。打球供給装置４７にあっては、第一球抜き板５０を摺動して球抜きする際、第一球抜き口３９全体が開放されるので、球誘導路５１内に遊技球が残るといったことがない。
【００４７】
一方、前記発射装置２０から発射されるも遊技部２ａに到達せずに外側ガイドレール４ｂに沿って逆戻りした遊技球は、外側ガイドレール４ｂの下端のガイド片４５に案内されファール球排出通路４４内に流入し、流入口４６を介して分岐通路４２に流入し最終的に副球排出口３４を介して球排出面部３５ｂに排出される。
【００４８】
また、遊技中に遊技部２ａでトラブルが発生しそのトラブル解消のため透明板保持枠８を開ける場合は、図６に示すように透明板保持枠８を開いた際、零れ球防止装置１６における可動片２８が自由になって圧縮スプリング３０の付勢により遮蔽板２９が上動し、球受通路２４内の第一・第二球通過口１８ａ，１８ｂからの遊技球の零れを止める。これにより、遊技球が第一・第二球通過口１８ａ，１８ｂから零れて落下するのを防止できる。トラブル解消後に透明板保持枠８を閉じれば、該透明板保持枠８により可動片２８が圧縮スプリング３０の付勢に抗して後方へ押され、両作用ピン２７，２７により両支持片３１，３１を押し下げて遮蔽板２９を元の位置に戻す。このようにして、球払出装置２２から払い出される遊技球を球排出口３３から球受皿１１の球皿部３５ａに正常に排出することができる。
【００４９】
本発明にあっては、分岐通路４２の底面に第二球抜き口４３を開設したが、球排出面部３５ｂに設けるようにしても良い。この場合は、該球受皿１１側に第二球抜き機構２４が設けられ、第二球抜き口４３は第二球抜き板８６により開閉自在に塞がれる。また、発射装置が遊技者から見て右側または左側のいずれの位置にある遊技機にも本発明は適用できることは勿論である。
【図面の簡単な説明】
【００５０】
【図１】本発明に係るパチンコ遊技機の斜視図。
【図２】同透明板保持枠を開いた状態の斜視図。
【図３】零れ球防止装置の斜視図。
【図４】分岐通路部位の平面断面図。
【図５】図４のＸ−Ｘ線断面図。
【図６】同作用を示す断面図。
【図７】打球供給装置の分解斜視図。
【図８】球受皿部位の平面断面図。
【図９】打球供給装置部位の拡大平面断面図。
【図１０】球受皿の第一球抜き機構部位の正面断面図。
【図１１】図１０のＹ−Ｙ線断面図。
【図１２】球受皿の第二球抜き機構部位の正面断面図。
【図１３】図１２のＺ−Ｚ線断面図。
【符号の説明】
【００５１】
１１                球受皿
２２                球払出装置
２３                球排出通路
３３                球排出口
３４                副球排出口
３５ａ              球皿部
３５ｂ              球排出面部
４２                分岐通路
Ｐ                  遊技機（パチンコ遊技機）
【図１】
2007260154.tif 000003
【図２】
2007260154.tif 000004
【図３】
2007260154.tif 000005
【図４】
2007260154.tif 000006
【図５】
2007260154.tif 000007
【図６】
2007260154.tif 000008
【図７】
2007260154.tif 000009
【図８】
2007260154.tif 000010
【図９】
2007260154.tif 000011
【図１０】
2007260154.tif 000012
【図１１】
2007260154.tif 000013
【図１２】
2007260154.tif 000014
【図１３】
2007260154.tif 000015